(57)【要約】【課題】グリップを握る際に小さな力で安定してグリップを握ることが可能な、新規かつ改良された手筋肉刺激ゴルフグローブを提供すること。【解決手段】ゴルフクラブのグリップを固定的に且つ安定して握れるように、手の筋肉と重なり合うようにグローブの内側に突出された筋肉刺激部を構成することにより筋肉を刺激して、運動選手の筋肉の緊張を緩和させて活動を助力するためにテーピング療法を用いる場合と同じ効果を有するようにして、ゴルフグリップを握るときに手に用いられる筋肉の緊張を緩和させ、小さな握力でも筋肉刺激部の筋肉刺激により、あたかも筋肉の収縮が大いに発生するかのように感じさせて、自然に握れるように構成すると共に、グリップが形成可能にする指を動かす筋肉を刺激して、グリップを気楽にする手筋肉刺激ゴルフグローブに関する。【選択図】図１１
2007181680.tif 000002
【特許請求の範囲】
【請求項１】
内部面に、手の握力を発揮する手筋肉を刺激して、小さな力で握るにも拘わらず、あたかも強い握力を発揮しているかのような感覚を付与する筋肉刺激部が形成されたことを特徴とする、手筋肉刺激ゴルフグローブ。
【請求項２】
前記内部面のうち前記手筋肉から選ばれた１または２以上の筋肉個所に対応する部分に前記筋肉刺激部が形成されたことを特徴とする、請求項１に記載の手筋肉刺激ゴルフグローブ。
【請求項３】
前記筋肉刺激部は、前記内部面に縫い目を突設したり、細い帯を多数枚連ねて突設したり、幅を異にする帯を結着したりして、前記手筋肉の連結線に沿って線形に連結形成されたことを特徴とする、請求項１に記載の手筋肉刺激ゴルフグローブ。
【請求項４】
前記筋肉刺激部は、内面皮中に前記手筋肉の連結線に沿って軟らかい金属材又は合成樹脂材のワイヤーを挿入した後、縫いなどの固定手段により固定して、着用時に前記軟らかい金属材又は合成樹脂材のワイヤーが前記手筋肉を刺激できるように形成されたことを特徴とする、請求項１に記載の手筋肉刺激ゴルフグローブ。
【発明の詳細な説明】
【技術分野】
【０００１】
本発明は、手筋肉刺激ゴルフグローブに関し、ゴルフ用のグローブに適用して最適である手筋肉刺激ゴルフグローブに関する。
【背景技術】
【０００２】
本願出願人は、機能性ゴルフグローブにおけるグリップの固定力と密着性を高めるためのグローブに関する特許を出願して登録されており、ゴルフグローブに関する種々の技術を提案している。
【０００３】
上述の技術は、手に密着するグローブの触感の改善して着用感を良くするグローブ、グローブに目印をつけてスイング軌道をより容易に認識可能にするグローブ、ボールの方向性を示すためのグローブなど種々のグローブが従来の技術として開発されている。また、これらのグローブの他にも、様々な構造を有するゴルフ用のグローブがある。例えば、手の甲から手首に亘ってアテをつけて手首の折れを極力抑えるグローブ、輪ゴムを種々に駆使して手との密着力を高めるグローブなどがある。本願出願人も、ゴルフクラブのグリップとグローブとの密着力及び固定力を高めると共に、親指と人差し指を自然に互いに近寄せる機能性ゴルフグローブを出願して登録されている。
【発明の開示】
【発明が解決しようとする課題】
【０００４】
上述のように、種々の機能性を持ったゴルフ用のグローブが開発されており、ゴルフをするにあたって、力を抜いてグリップを握ることが要求されているが、思った通りに簡単にはできず、グリップを握る際に小さな力を入れて安定してゴルフクラブを握るようにする機能性ゴルフグローブの開発が切望されている。
【０００５】
そこで、本発明は、上記問題に鑑みてなされたものであり、本発明の目的とするところは、グリップを握る際に小さな力で安定してグリップを握ることが可能な、新規かつ改良された手筋肉刺激ゴルフグローブを提供することにある。
【課題を解決するための手段】
【０００６】
上記課題を解決するために、本発明のある観点によれば、内部面に、手の握力を発揮する筋肉を刺激して、小さな力で握るにも拘わらず、あたかも強い握力を発揮しているかのような感覚を付与する筋肉刺激部が形成されたことを特徴とする、手筋肉刺激ゴルフグローブが提供される。
【０００７】
上記内部面のうち手の握力を発揮する筋肉から選ばれた１または２以上の筋肉個所に対応する部分に前記筋肉刺激部が形成されてもよい。
【０００８】
上記筋肉刺激部は、グローブの内部面に縫い目を突設したり、細い帯を多数枚連ねて突設したり、幅を異にする帯を結着したりして、手筋肉の連結線に沿って線形に連結形成されてもよい。
【０００９】
上記筋肉刺激部は、グローブの内面皮中に筋肉連結線に沿って軟らかい金属材又は合成樹脂材のワイヤーを挿入した後、縫いなどの固定手段により固定して、着用時に前記軟らかい金属材又は合成樹脂材のワイヤーが手筋肉を刺激できるように形成されてもよい。
【発明の効果】
【００１０】
本発明によれば、グリップを握る際に小さな力で安定してグリップを握ることができる。
【発明を実施するための最良の形態】
【００１１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１２】
図１〜１２に基づき、本実施形態に係る手筋肉刺激ゴルフグローブの構成と作用を詳細に説明する。本発明を理解し易くするために、右利きを基準として説明を行う。基本的な説明を行うと、先ず、ゴルフクラブを握ることをグリップと称する。ゴルフクラブを握るとき、左手は子指、薬指、中指の３本の指で把持し、右手は中指、薬指の２本の指の力でグリップすることを基本としている。初心者の場合、このような方法によりゴルフクラブを握るのには難点があり、指の全体に力を入れて握ることが通常である。すなわち、左手の３本の指と右手の２本の指に力を入れようとすれば、左手の子指から力を入れてしまい、全体的に腕と肩に力が入ることになり、このような現象は全身が硬直する結果を招き、自然なスイングを阻害する要因となっている。このため、手をグリップするに当たり、力を抜かなければ、自然で且つ安定したスイングを行うことができず、長い飛距離と良好な方向性をもってボールを送ることができない。
【００１３】
そこで、本実施形態においては、手に位置する筋肉付近と対応するように筋肉刺激部Ａをグローブの内部に線と面により突設することにより、着用時に筋肉を刺激して相対的にグリップを握るとき、小さな力が入れるようにしている。このため、筋肉刺激部Ａを各手の主な筋肉部に位置させる必要があるが、これによる各筋肉の位置を下記のように説明する。
【００１４】
（１）Ｐｏｌｌｉｃｉｓグループ（親指）
図１に示すように、主として親指を動かす筋肉であり、７種類の筋よりなる。筋肉は親指の内側の手のひらの部分から親指の甲に亘って形成されるので、筋肉の構成部により覆われるグローブの内側部に突出部を形成して筋肉を若干の刺激により鈍化させ、スイング中に一定の握力を維持しながら、瞬時に別途の加力を弱めるため、ゴルフバッグスイング、スイング中に一定の握力のグリップとスムーズなスイングを可能にする。これにより、図２に示すように、親指の爪付近の先端部から手の甲の手首まで筋肉に沿った曲線状に筋肉刺激部Ａを形成して、７種類の筋肉を横切って刺激を与えることにより、グリップをするとき、親指を鈍化させて伸ばすようにし、親指に力を入れなくても強固なグリップと自然で且つ正しいグリップを可能にして、良好なバックスイングとスムーズで且つ強固なグリップを可能にする。
【００１５】
（２）Ｉｎｄｅｘグループ（人差し指）
図３に基づいて説明すると、人差し指を動かす筋肉にも刺激を与えることにより、バックスイング中に一定の握力を維持しながら、別途の力が瞬時に加わることを弱める。指筋の特徴である２指、３指、４指、５指の根元筋が同じであるため、僅かな人差し指の刺激により３指、４指、５指の握力も一定になるという効果を持っている。これにより、バックスイング中に指の全体に一定の握力を維持させる働きをする。人差し指を伸ばす筋は、大きく２つにより構成されており、それらのうちどちらか一方は、３指、４指、５指と根元筋が同じであるため、同じ支配神経の支配を受けている。もう一つは別の根元筋により別途の支配神経として働くため、２つの筋肉に沿ってグローブの内部に人差し指の指先から図４に示した人差し指の開始部まで筋肉刺激部Ａを形成して刺激を与えるようにすると、筋肉を鈍化させる。これは、バックスイング中に一定の握力を維持して、スイング中に手の握力が緩くなることを防ぐ。ゴルフスイングは、指の屈筋を用いて握り締めるとき、肩に力が入ってスイングを鈍く行うため、鈍化した指などの筋肉を用いてグリップするようにすることで、一定の弱いグリップの握力を維持することになる。
【００１６】
（３）Ｄｉｇｉｔｉ  ｍｉｎｉｍｉグループ（子指）
図５に示すように、子指を伸ばす筋を伸ばさないために筋肉に力を入れると、手に力が入ってバックスイングを困難にするため、筋を曲げた状態で伸ばさないように鈍化させることが、バックスイングに苦労することなく、スムーズにバックスイングしながら、グリップの握力を鈍化させる上で有効である。このため、Ｉｎｄｅｘ筋と同様に、２指、３指、４指と共通する根元筋を持った筋とは別途の根元筋を持った２つの筋よりなる子指の伸ばし筋肉の個所であって、図６に示すように、筋肉刺激部Ａをグローブの内部に構成することにより筋を刺激して鈍化させるので、一定の握力を維持することになる。また、今後筋肉刺激部Ａについて詳述するが、筋肉刺激部Ａを線形または面により構成することが可能である。
【００１７】
（４）Ｃａｒｐｉ  Ｕｌｎａｒｉｓグループ（手首手筋）
図７に示すように、子指の根元筋の手首部位の筋であり、子指の下部の手首部に位置するところであり、図８に示すように、手首部に位置するグローブの内部に筋肉刺激部Ａを形成することにより、筋肉に刺激を与えるようにして、手首の使用を力を抜いた状態で鈍化させることにより、スイング中に手首の使用を抑えるようにして、ボールの方向性に良い影響を与える。また、着用時に手首の窪みを埋める役割も果たし、着用時にグローブの手首部が緩むことがなくなる。
【００１８】
（５）Ｃａｒｐｉ  Ｒａｄｉａｌｉｓグループ（手首橈側）
図９に示すように、人差し指と中指の根元部の手首筋であり、人差し指と中指につながう手首橈側部に位置する筋肉を、図１０に示すように、対応するグローブ内部の筋肉刺激部Ａにより刺激することで手首筋を鈍化させて、バックスイング時に力を入れない状態でスムーズで且つ強固に働かせて方向性を向上させる。その位置がＰｏｌｌｉｃｉｓグループの筋肉を圧迫する突出部を延設可能な付近になるように連ねて構成することもできる。
【００１９】
以上のように、図１１から図１４に示すように、指の作動を助力する筋肉において、刺激を容易にする筋肉刺激部Ａをグローブの内部に形成することにより、グリップ時に全体的に力が入らないようにすることにより、円滑なスイングを可能にしている。上記筋肉刺激部Ａは種々に構成可能であるが、グローブの内部に縫い目を突出して刺激させることもでき、多数の細い帯により構成することもでき、年齢による筋肉の面積によって幅を異にする帯を構成して結着することにより圧迫の効果を出すこともできる。また、現在、多数の機能性ワイヤー（形状記憶合金、合成樹脂材、磁力線など）等が盛んに開発されているが、これらのワイヤーを用いてグローブの内面皮の中に筋肉連結線に沿って軟らかい（スムーズな）金属材または合成樹脂材のワイヤーを差し込んだ後、縫いなどの固定手段により固定して構成することで、上述の筋肉刺激部Ａを構成して着用時に同じ効果を発揮することもできる。
【００２０】
本実施形態は、ゴルフ用のグローブに係り、さらに詳しくは、ゴルフクラブのグリップを握るに当たって手筋肉の緊張を緩和させ、且つ、小さな握力を与えるにも拘わらず、あたかも大きな握力が入るかのようにして手筋肉に刺激を与える。
【００２１】
具体的には、手のひらと手の甲などの全体を覆うゴルフ用グローブの内部における手の筋肉と一致する個所に縫いまたは帯などにより筋肉刺激部を突設して手の筋肉を弱く刺激することにより、グローブをつけたときに、小さな力を入れたにも拘わらず、あたかも強い握力を加えたかのような感じを与え、筋肉のテーピング療法のように筋肉の緊張を緩和して活性化を容易にすると共に、グリップを握る際に小さな力をもって安定してグリップを握るようにすることができる。
【００２２】
そして、ゴルフクラブのグリップを握るときに、自分も知らないうちに手に強い力が入ってしまって姿勢が乱れ、ボールの方向性が良くなく、飛距離もまた遠くない使用者の場合、グリップを握るときに用いられる手筋肉を補助する本実施形態の構成及び方法によれば、グリップをよりスムーズで且つ小さな力で握るようにして一層スムーズで且つ自然なスイングを可能にし、結果として、ボールの方向性を良くして飛距離を大きくするという効果がある。
【００２３】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【図面の簡単な説明】
【００２４】
【図１】使用筋肉を示す説明図である。
【図２】使用筋肉に対応した筋肉刺激部の構成を示す説明図である。
【図３】使用筋肉を示す説明図である。
【図４】使用筋肉に対応した筋肉刺激部の構成を示す説明図である。
【図５】使用筋肉を示す説明図である。
【図６】使用筋肉に対応した筋肉刺激部の構成を示す説明図である。
【図７】使用筋肉を示す説明図である。
【図８】使用筋肉に対応した筋肉刺激部の構成を示す説明図である。
【図９】使用筋肉を示す説明図である。
【図１０】使用筋肉に対応した筋肉刺激部の構成を示す説明図である。
【図１１】本実施形態に係る発明の内部筋肉刺激部の構成を外部から類推して示す正面図である。
【図１２】本実施形態に係る発明の内部筋肉刺激部の構成を外部から類推して示す背面図である。
【図１３】本実施形態に係る発明の内部筋肉刺激部の構成を外部から類推して示す左側面図である。
【図１４】本実施形態に係る発明の内部筋肉刺激部の構成を外部から類推して示す右側面図である。
【符号の説明】
【００２５】
Ａ      筋肉刺激部
【図１】
2007181680.tif 000003
【図２】
2007181680.tif 000004
【図３】
2007181680.tif 000005
【図４】
2007181680.tif 000006
【図５】
2007181680.tif 000007
【図６】
2007181680.tif 000008
【図７】
2007181680.tif 000009
【図８】
2007181680.tif 000010
【図９】
2007181680.tif 000011
【図１０】
2007181680.tif 000012
【図１１】
2007181680.tif 000013
【図１２】
2007181680.tif 000014
【図１３】
2007181680.tif 000015
【図１４】
2007181680.tif 000016